(57)【要約】【課題】  コンタクト間の良好な電気的接続を得ることができる基板対基板コネクターを提供する。【解決手段】  本発明の基板対基板コネクターは、雄型コネクター１０と雌型コネクター２０とを含む。雄型コネクター１０は、一対の雄型コンタクト１００Ａ、１００Ｂを含み、雌型コネクター２０は、一対の雌型コンタクト２００Ａ、２００Ｂを含む。雄型コンタクト１００Ａ、１００Ｂは、弾性変形可能な突起部１０９Ａ、１０９Ｂを含み、雌型コンタクト２００Ａ、２００Ｂは、突起部１０９Ａ、１０９Ｂと接触する接点部２０８Ａ、２０８Ｂを含む。接点部２０８Ｂは、突起部１０９Ｂが移動する方向と直交する方向において傾斜する方向が異なる第１の傾斜面２１０Ｂと第２の傾斜面２１２Ｂとを有する。【選択図】    図７
2015088401.tif 000002
【特許請求の範囲】
【請求項１】
雄型のコンタクトと雌型のコンタクトとを接続可能なコネクターであって、
前記雄型のコンタクトは、端部に弾性変形可能な突起部を含み、
前記雌型のコンタクトは、前記突起部と接触する接触面を含み、
前記接触面は前記突起部の移動方向に延在され、前記接触面は、少なくとも前記突起部の移動方向と異なる第１の方向に傾斜する第１の傾斜面および第１の方向とは反対の第２の方向に傾斜する第２の傾斜面を有する、コネクター。
【請求項２】
第１の傾斜面と第２の傾斜面とが連続し、第１の傾斜面と第２の傾斜面との間の段差には傾斜が形成されている、請求項１に記載のコネクター。
【請求項３】
第１の傾斜面の傾斜角は、第２の傾斜面の傾斜角と等しい、請求項１または２に記載のコネクター
【請求項４】
第１の傾斜面および第２の傾斜面は、球面状の傾斜である、請求項１ないし３いずれか１つに記載のコネクター。
【請求項５】
一対の接触面が対向するように一対の雌型のコンタクトが配置され、一対の突起部が前記一対の接触面に接触するように一対の雄型のコンタクトが配置される、請求項１ないし４いずれか１つに記載のコネクター。
【請求項６】
前記一対の接触面が開口部の上面および底面に接するように支持され、前記一対の突起部が前記開口部内に挿入される挿入部の上面および底面に弾性的に支持される、請求項１ないし５いずれか１つに記載のコネクター。
【請求項７】
コネクターはさらに、雄型のコネクターと、雌型のコネクターとを含み、
前記雄型のコネクターが複数の雄型のコンタクトと前記挿入部とを含み、
前記雌型のコネクターが複数の雌型のコンタクトと前記開口部とを含み、
前記挿入部が前記開口部内に挿入されるとき、複数の雄型のコンタクトの各々が複数の雌型のコンタクトの各々に接続される、請求項１ないし６いずれか１つに記載のコネクター。
【請求項８】
前記雄型のコネクターおよび前記雌型のコネクターは、前記雄型のコンタクトおよび雌型のコンタクトを介してそれぞれ基板が固定される、請求項１ないし７いずれか１つに記載のコネクター。
【発明の詳細な説明】
【技術分野】
【０００１】
本発明は、基板、電子部品、半導体チップ等を接続するためのコネクターに関し、特に基板と基板とを接続するためのコネクターに関する。
【背景技術】
【０００２】
パーソナルコンピュータ、遊技機等を初めとする電子装置には、複数の回路基板が実装されている。例えば、マザーボードには、複数の回路基板がコネクターを介して接続され、必要に応じて、それらの回路基板の着脱が可能になっている。
【０００３】
このような基板対基板コネクターは、例えば特許文献１に開示されている。この基板対基板コネクターは、長手方向に延在する突出部が形成されたベース部材および長手方向に整列されたコンタクトを含むプラグコネクターと、長手方向に開口が形成されたベース部材および長手方向に整列されたコンタクトを含むレセプタクルコネクターと、プラグコネクターの両側に設けられた操作レバー機構とを有する。操作レバー機構は、一対のレバーを含み、一対のレバーの回転方向に応じてプラグコネクターとレセプタクルコネクター間の着脱を行うものである。
【先行技術文献】
【特許文献】
【０００４】
【特許文献１】特開２００７−８０６４１号公報
【発明の概要】
【発明が解決しようとする課題】
【０００５】
図１（Ａ）は、従来の基板対基板コネクターの平面図、図１（Ｂ）は、そのＡ−Ａ線断面図である。同図に示すように、基板対基板コネクター１は、雄型コネクター１０と、雌型コネクター２０とを含んで構成される。雄型コネクター１０は、長手方向に整列された複数の雄型コンタクト１２と、雄型コンタクト１２を支持する雄型ボディ１４と、雄型ボディ１４の端部に取付けられ基板との固定を補助するタブ１６とを有する。雌型コネクター２０は、複数の雄型コンタクト１２の各々と嵌合可能な複数の雌型コンタクト２２と、長手方向に整列された雌型コンタクト２２を支持する雌型ボディ２４と、雌型ボディ２４の端部に取付けられ基板との固定を補助するタブ２６とを有する。
【０００６】
雄型コネクター１０の長手方向に延びる挿入部１８が雌型コネクター２０の長手方向の延びる開口部２８内に挿入されるとき、雄型コンタクト１２が雌型コンタクト２２に嵌合され、両コンタクト間に電気的導通が形成される。雄型コンタクト１２は、片持ち梁状のバネ性を有する可動接点を備え、雌型コンタクト２２は、静止接点を備え、雄型コンタクト１２が雌型コンタクト２２に接触されるとき、可動接点が静止接点に対し一定の荷重を与えながら移動する。この動作によって、雄型コンタクト１２が雌型コンタクト２２をワイピングし、雌型コンタクト１２上に付着した異物を除去する。
【０００７】
しかしながら、コンタクト表面、ボディ等に異物が強固に付着していると、異物をワイピングによって完全に除去することができず、嵌合の際に雌雄のコンタクト間に異物が残ったまま接触されてしまう。このような異物の介在は、コンタクト間の良好な電気的導通の妨げとなり、接触不良を引き起こしてしまう。
【０００８】
本発明の目的は、このような従来の課題を解決し、コンタクト間の良好な電気的接続を得ることができる基板対基板コネクターを提供する。
【課題を解決するための手段】
【０００９】
本発明に係るコネクターは、雄型のコンタクトと雌型のコンタクトとを接続可能なものであって、前記雄型のコンタクトは、端部に弾性変形可能な突起部を含み、前記雌型のコンタクトは、前記突起部と接触する接触面を含み、前記接触面は前記突起部の移動方向に延在され、前記接触面は、少なくとも前記突起部の移動方向と異なる第１の方向に傾斜する第１の傾斜面および第１の方向とは反対の第２の方向に傾斜する第２の傾斜面を有する。
【００１０】
好ましくは第１の傾斜面と第２の傾斜面とが連続し、第１の傾斜面と第２の傾斜面との間の段差には傾斜が形成されている。好ましくは第１の傾斜面の傾斜角は、第２の傾斜面の傾斜角と等しい。好ましくは第１の傾斜面および第２の傾斜面は、球面状の傾斜である。好ましくは一対の接触面が対向するように一対の雌型のコンタクトが配置され、一対の突起部が前記一対の接触面に接触するように一対の雄型のコンタクトが配置される。好ましくは前記一対の接触面が開口部の上面および底面に接するように支持され、前記一対の突起部が前記開口部内に挿入される挿入部の上面および底面に弾性的に支持される。好ましくはコネクターはさらに、雄型のコネクターと、雌型のコネクターとを含み、前記雄型のコネクターが複数の雄型のコンタクトと前記挿入部とを含み、前記雌型のコネクターが複数の雌型のコンタクトと前記開口部とを含み、前記挿入部が前記開口部内に挿入されるとき、複数の雄型のコンタクトの各々が複数の雌型のコンタクトの各々に接続される。好ましくは前記雄型のコネクターおよび前記雌型のコネクターは、前記雄型のコンタクトおよび雌型のコンタクトを介してそれぞれ基板が固定される。
【発明の効果】
【００１１】
本発明によれば、雌型のコンタクトの接触面に第１の傾斜面と第２の傾斜面を設けたことにより雄型のコンタクトの突起部によるワイピングを２次元的に行わせ、これにより、従来では除去することができなかったコンタクト表面に強固に付着した異物を取り除くことができる。
【図面の簡単な説明】
【００１２】
【図１】図１（Ａ）は、基板対基板コネクターの概略平面図、図１（Ｂ）は、そのＡ−Ａ線断面図である。
【図２】本発明の実施例に係る雄型ボディの背面図である。
【図３】本発明の実施例に係る雄型コンタクトの側面図である。
【図４】本発明の実施例に係る雌型ボディの背面図である。
【図５】本発明の実施例に係る雌型コンタクトの側面図である。
【図６】図６（Ａ）は、本実施例に係る雌型コンタクトの斜視図、図６（Ｂ）は、そのＢ１−Ｂ１線断面図、図６（Ｃ）は、そのＢ２−Ｂ２線断面図である。
【図７】本実施例のコンタクト間のワイピング動作を説明する斜視図である。
【図８】本実施例のコンタクト間のワイピング動作を説明する断面図である。
【図９】本実施例の雄型コネクターと雌型コネクターの接続状態を表す断面図である。
【図１０】本発明の実施例に係る雌型コネクターの変形例を示す断面図である。
【発明を実施するための形態】
【００１３】
以下、本発明の最良の実施形態について図面を参照して詳細に説明する。本発明は、雄型コンタクトと雌型コンタクトを有するコネクターに適用され、そのようなコネクターは、基板、電子部品、半導体パッケージなど種々のデバイスとの電気的インターフェースを提供する。本発明の好ましい態様として、基板対基板コネクターに適用される例を説明する。
【実施例】
【００１４】
本発明の実施例に係る基板対基板コネクターは、図１に示すような雄型のコネクター１０と、雌型のコネクター２０とを含んで構成されるが、そこに用いられる雄型コンタクトおよび雌型コンタクトは、従来の雄型コンタクトおよび雌型コンタクトと構成を異にする。
【００１５】
図２に、本実施例の雄型コネクター１０の雄型ボディの背面図を示す。図１と同一構成については同一参照番号を付す。雄型コネクター１０は、長手方向に延在する概ね矩形状の雄型ボディ１４を含み、雄型ボディ１４には、図３に示すような一対の雄型コンタクト１００Ａ、１００Ｂを複数取付けるためのスリット状の複数のコンタクト取付け部３０が形成される。複数のコンタクト取付け部３０が雄型ボディ１４の長手方向に配列され、１つのコンタクト取付け部３０には、一対の雄型コンタクト１００Ａ、１００Ｂが取付けられる。
【００１６】
コンタクト取付け部３０は、一対の矩形状の開口３２Ａ、３２Ｂを含み、開口３２Ａと開口３２Ｂとの間に隔壁３４が形成される。この隔壁３４は、雄型ボディ１４の挿入部１８を構成する。開口３２Ａには、雄型コンタクト１００Ａが挿入され、開口３２Ｂには、雄型コンタクト１００Ｂが挿入される。コンタクト取付け部３０はさらに、雄型コンタクト１００Ａ、１００Ｂを整列させるための矩形状の溝３６と、コンタクトの端部１０２Ｂを固定するための溝３８とを含む。
【００１７】
図３（Ａ）、（Ｂ）に一対の雄型コンタクト１００Ａ、１００Ｂの側面図を示す。雄型コンタクト１００Ａは、例えば銅合金などの板状の金属をスタンピングすることにより形成される。雄型コンタクト１００Ａは、基部１０２Ａと、基部１０２Ａから直線状に延在する延在部１０４Ａと、延在部１０４Ａから略直角に折り曲げられた折曲部１０６Ａと、折曲部１０６Ａから幾分の傾斜を持つように片持ち梁状に延在する接点部１０８Ａとを有する。基部１０２Ａから接点部１０８Ａまでの幅は概ね等しい。
【００１８】
基部１０２Ａは、概略Ｌ字型を有し、その平坦な端部は、図示しない基板の電極パッド等に半田等によって接続される。接点部１０８Ａは、折曲部１０６Ａから片持ち梁となるように傾斜され、接点部１０８Ａの中腹には突起部１０９Ａが形成され、先端にも突起部１０７Ａが形成される。突起部１０９Ａは、例えば、接点部１０８Ａを折り曲げることにより形成され、突起部１０９Ａには、摩耗を防止するためのメッキ等が施されてもよい。より好ましい態様では、突起部１０９Ａは、先端が尖るような形状、例えば球面状、円錐状、角錐状に加工されることが好ましく、これにより異物を除去するワイピング機能をより向上させることができる。突起部１０７Ａも同様に折り曲げることにより形成され、突起部１０７Ａは、後述するように隔壁３４の上面Ｓ１と当接することで突起部１０９Ａに一定の接圧を与えることができる。
【００１９】
延在部１０４Ａが溝３６内に収容され、かつ接点部１０８Ａが開口３２Ａ内に挿入されたとき、折曲部１０６Ａが開口３０Ａの側面間に圧入された状態にあり、突起部１０７Ａが隔壁の上面Ｓ１に当接し、接点部１０８Ａが隔壁３４の上面Ｓ１から離間するように支持される。これにより接点部１０８Ａの突起部１０９Ａが可動接点として機能し得る。
【００２０】
雄型コンタクト１００Ｂは、雄型コンタクト１００Ａと同様の構成を有する。すなわち、雄型コンタクト１００Ｂは、例えば銅合金などの板状の金属をスタンピングすることにより形成され、基部１０２Ｂと、基部１０２Ｂから直線状に延在する延在部１０４Ｂと、延在部１０４Ｂから略直角に折り曲げられた折曲部１０６Ｂと、折曲部１０６Ｂから幾分の傾斜をもつように片持ち梁状に延在する接点部１０８Ｂとを有する。基部１０２Ｂから接点部１０８Ｂまでの幅は概ね等しく、その幅は、雄型コンタクト１００Ａの幅にほぼ等しい。
【００２１】
基部１０２Ｂは、概略Ｌ字型を有し、その平坦な端部は図示しない基板の電極パッド等に半田等によって接続される。接点部１０８Ｂは、折曲部１０６Ｂから片持ち梁となるように傾斜され、接点部１０８Ｂの中腹には突起部１０９Ｂが形成され、先端にも突起部１０７Ｂが形成される。突起部１０９Ｂは、例えば、接点部１０８Ｂを折り曲げることにより形成され、突起部１０９Ｂには、摩耗を防止するためのメッキ等が施されてもよい。より好ましい態様では、突起部１０９Ｂは、先端が尖るような形状、例えば球面状、円錐状、角錐状に加工されることが好ましく、これにより異物を除去するワイピング機能をより向上させることができる。突起部１０７Ｂも同様に折り曲げることにより形成され、突起部１０７Ｂは、後述するように隔壁３４の底面Ｓ２と当接することで突起部１０９Ｂに一定の接圧を与えることができる。
【００２２】
延在部１０４Ｂが溝３６内に収容され、かつ接点部１０８Ｂが開口３２Ｂ内に挿入されたとき、折曲部１０６Ｂが開口３０Ｂの側面間に圧入された状態にあり、突起部１０７Ｂが隔壁の底面Ｓ２に当接し、接点部１０８Ｂが隔壁３４の底面Ｓ２から離間するように支持される。これにより接点部１０８Ａの突起部１０９Ａが可動接点として機能し得る。また、溝３８内に挿入された基部１０２Ｂが雄型ボディの底面において基部１０２Ａと反対方向に配置される。
【００２３】
こうして一対の雄型コンタクト１００Ａ、１００Ｂがコンタクト取付け部３０内に取付けられたとき、図１（Ｂ）に示すように挿入部１８を構成する隔壁３４の上下に弾性変形可能な一対の接点部１０８Ａ、１０８Ｂが配置される。
【００２４】
図４に、本実施例の雌型コネクター２０の雌型ボディの背面図を示す。雌型コネクター２０は、長手方向に延在する概ね矩形状の雌型ボディ２４を含み、雌型ボディ２４には、雌型コンタクト２００Ａ、２００Ｂを取付けるためのスリット状のコンタクト取付け部４０が形成される。複数のコンタクト取付け部４０は雌型ボディ２４の長手方向に配列され、１つのコンタクト取付け部４０には、一対の雌型コンタクト２００Ａ、２００Ｂが取付けられる
【００２５】
コンタクト取付け部４０は、一対の矩形状の開口４２Ａ、４２Ｂを含み、開口４２Ａと開口４２Ｂとの間に隔壁４４が形成される。隔壁４４は、挿入部１８が開口部２８内に挿入されたときのストッパー２８Ａを提供する（図９参照）。開口４２Ａには、雌型コンタクト２００Ａが挿入され、開口４２Ｂには、雌型コンタクト２００Ｂが挿入される。コンタクト取付け部４０はさらに、雌型コンタクト２００Ａ、２００Ｂを整列させるための矩形状の溝４６と、コンタクトの端部２０２Ｂを固定するための溝４８とを含む。
【００２６】
図５（Ａ）、（Ｂ）に一対の雌型コンタクト２００Ａ、２００Ｂを示す。雌型コンタクト２００Ａは、例えば銅合金などの板状の金属をスタンピングすることにより形成される。雌型コンタクト２００Ａは、基部２０２Ａと、基部２０２Ａから直線状に延在する延在部２０４Ａと、延在部２０４Ａから略直角に折り曲げられた折曲部２０６Ａと、折曲部２０６Ａからほぼ水平に延在する接点部２０８Ａとを有する。基部２０２Ａから接点部２０８Ａまでの幅は概ね等しい。延在部２０４Ａが溝４６内に固定され、かつ接点部２０８Ａが開口４２Ａ内に挿入されたとき、接点部２０８Ａが開口部２８の上面を押圧する。
【００２７】
雌型コンタクト２００Ｂは、雌型コンタクト２００Ａと同様の構成を有する。すなわち、雌型コンタクト２００Ｂは、例えば銅合金などの板状の金属から構成され、基部２０２Ｂと、基部２０２Ｂから直線状に延在する延在部２０４Ｂと、延在部２０４Ｂから略直角に折り曲げられた折曲部２０６Ｂと、折曲部２０６Ｂからほぼ水平に延在する接点部２０８Ｂとを有する。基部２０２Ｂから接点部２０８Ｂまでの幅は概ね等しく、その幅は、雌型コンタクト２００Ａの幅にほぼ等しい。延在部２０４Ｂが溝４６内に固定され、かつ接点部２０８Ｂが開口４２Ｂ内に挿入されたとき、接点部２０８Ｂが開口部２８の底面を押圧し、溝４８内に挿入された基部２０２Ｂが雌型ボディ２４の底面において基部２０２Ａと反対方向に配置される。
【００２８】
こうして一対の雌型コンタクト２００Ａ、２００Ｂがコンタクト取付け部４０内に取付けられたとき、図１（Ｂ）に示すように開口部２８を構成する上下の面に一対の接点部２０８Ａ、２０８Ｂが対向するように配置される。雄型コネクター１０の挿入部１８が雌型コネクター２０の開口部２８内に挿入されたとき、雄型コンタクト１００Ａ、１００Ｂの接点部１０８Ａ、１０８Ｂがそれぞれ雌型コンタクト２００Ａ、２００Ｂの接点部２０８Ａ、２０８Ｂに接触する。
【００２９】
図６（Ａ）は、本実施例による雌型コンタクト２００Ｂの斜視図、図６（Ｂ）、（Ｃ）は、そのＢ１−Ｂ線断面図、Ｂ２−Ｂ２線断面図である。雌型コンタクト２００Ｂの接点部２０８Ｂは、その延在する方向（軸方向）に２つの傾斜面２１０Ｂ、２１２Ｂと平坦な面２１４Ｂとを含み、雄型コンタクト１００Ｂの突起部１０９Ｂへの接触面を提供する。すなわち、傾斜面２１０Ｂ、２１２Ｂおよび平坦な面２１４Ｂは、雄型コンタクト１００Ｂの突起部１０９Ｂが接点部２０８Ｂ上を移動する方向に延在される。傾斜面２１０Ｂは、軸方向、すなわち接点部１０８Ｂの移動方向とほぼ直交する方向に傾斜した表面を有し、軸方向に距離Ｌ１で延在する。さらに傾斜面２１０Ｂに連続して傾斜面２１２Ｂが形成される。傾斜面２１２Ｂは、傾斜面２１０Ｂと反対方向に傾斜した表面を有し、軸方向に距離Ｌ２で延在する。そして傾斜面２１２Ｂに連続して平坦な面２１４Ｂが形成される。
【００３０】
図６（Ｂ）に示すように、傾斜面２１０Ｂは、傾斜していない平坦な面２１４Ｂと比較して角度θ１で傾斜される。一方、傾斜面２１２Ｂは、図６（Ｃ）に示すように、傾斜していない平坦な面２１４Ｂと比較して角度θ２で傾斜する。但し、角度θ１とθ２の傾斜する方向は反対である。ある態様では、Ｌ１＝Ｌ２、θ１＝θ２となるように傾斜面２１０Ｂ、２１２Ｂが形成される。但し、これに限らず、傾斜面２１０Ｂ、２１２Ｂは、Ｌ１≠Ｌ１、θ１≠θ２の関係であってもよい。
【００３１】
なお、ここには図示しないが、もう一方の雌型コンタクト２００Ａの接点部２０８Ａにも、同様の傾斜面２１０Ａ、２１２Ａが形成される。また、傾斜面２１０Ｂ、２１２Ｂ、および平坦な面２１４Ｂが軸方向に連続的に形成されたとき、それらの境界に段差が生じる。段差は、突起部１０９Ｂの移動の障害または摩擦となり得るため、段差が緩和されるように傾斜または曲面からなる緩和面２３０が形成される（図８を参照）。
【００３２】
次に、雄型コンタクトと雌型コンタクト間の接触およびワイピング動作について説明する。図７（Ａ）、（Ｂ）、（Ｃ）は、雄型コンタクトが雌型コンタクト上を移動するときの斜視図、図８は、傾斜面２１０Ｂ、２１２Ｂと雄型コンタクト１００Ｂの接点部１０８Ｂの突起部１０９Ｂの関係を示す断面図、図９は、雄型コネクター１０と雌型コネクター２０との接続状態を示す断面図である。
【００３３】
図１（Ｂ）に示すように雄型コネクター１０の挿入部１８が雌型コネクター２０の開口部２８内に挿入されるとき、一対の雄型コンタクト１００Ａ、１００Ｂと一対の雌型コンタクト２００Ａ、２００Ｂとの接触が開始される。また、図９に示すように、雄型ボディ１４には、雄型コンタクト１００Ａ、１００Ｂを介して基板３００Ａが接続され、雌型ボディ２４には、雌型コンタクト２００Ａ、２００Ｂを介して基板３００Ｂが接続されている。
【００３４】
図７（Ａ）は、１つの雄型コンタクト１００Ｂの接点部１０８Ｂが雌型コンタクト２００Ｂの接点部２０８Ｂ上を移動する様子を表している。まず、雄型コンタクト１００Ｂの突起部１０９Ｂが、雌型コンタクト２００Ｂの接点部２０８Ｂの端部と接触を開始する。このとき、突起部１０９Ｂが接点部２０８Ｂの略軸中心Ｃを移動するように設計されている。雄型コネクター１０が雌型コネクター２０に向けて移動されるに伴い、突起部１０９Ｂが雌型コンタクト２００Ｂの接点部２０８Ｂ上を軸方向に向けて移動する。
【００３５】
図７（Ｂ）に示すように、雄型コンタクト１００Ｂの突起部１０９Ｂが雌型コンタクト２００Ｂの接点部２０８Ｂの傾斜面２１０Ｂに差し掛かると、突起部１０９Ｂは傾斜面２１０Ｂにより傾斜する方向の力Ｆ１を受ける（図８（Ａ）を参照）。この力Ｆ１により突起部１０９Ｂの移動は、接点部２０８Ｂの軸中心Ｃから傾斜する方向へシフトされる。
【００３６】
突起部１０９Ｂが傾斜面２１０Ｂを通過した後、突起部１０９Ｂは、傾斜面２１２Ｂ上を移動される。このとき、突起部１０９Ｂは、図８（Ｂ）に示すように、傾斜面２１０Ｂのときと反対方向の力Ｆ２を受ける。この力Ｆ２により突起部１０９Ｂの移動は、接点部２０８Ｂの軸中心Ｃに戻るようにシフトされ、さらに軸中心Ｃから傾斜する方向へシフトされる。傾斜面２１０Ｂと傾斜面２１２Ｂ間の段差には緩和面２３０が形成されているので、仮に突起部１０９Ｂが段差上を通過する場合であっても、その移動に障害または大きな負荷が与えられることはない。
【００３７】
突起部１０９Ｂは、傾斜面２１２Ｂを通過した後、平坦な面２１４Ｂ上を移動する。傾斜面２１２Ｂと平坦な面２１４Ｂ間の段差にも緩和面２３２が形成されているので突起部１０９Ｂの移動が円滑化される。最終的に、雄型ボディ１０の挿入部１８が雌型ボディ１４の開口部２８内のストッパー２８Ａ（図９を参照）に当接したとき、雌雄のコネクター間の接続が完了する。
【００３８】
図７（Ｃ）に示す破線Ｗは、ワイピングの軌跡を示している。突起部１０９Ｂが傾斜面２１０Ｂ、２１２Ｂ上を移動するとき、ワイピング軌跡Ｗは、傾斜面２１０Ｂ、２１２Ｂの傾斜によってジグザグ状に蛇行し３次元的となる。このため、突起部１０９Ｂは、従来のワイピング軌跡Ｗが突起部１０９Ｂの移動方向と同じでときと比較して、接点部２０８Ｂ上に付着した異物をより効果的に取り除くことができる。このことは、雄型コンタクト１００Ａと雌型コンタクト２００Ａについても同様である。その結果、雄型コンタクト１００Ａ、１００Ｂと雌型コンタクト２００Ａ、２００Ｂ間の良好な電気的な接続を得ることができる。
【００３９】
上記例では、傾斜面２１０Ｂに連続して傾斜面２１２Ｂが形成されたが、傾斜面２１０Ｂと傾斜面２１２Ｂとの間に一定の距離の平坦な面が介在されてもよい。つまり、傾斜面２１０Ｂと傾斜面２１２Ｂとが必ずしも連続的に形成されなくてもよい。さらに傾斜面の数は、３つ以上であってもよいが、その場合、傾斜が交互に異なるように傾斜面が接続される。
【００４０】
また、傾斜面２１０Ｂの両側の側面の高さＰ１、Ｐ２は、図６（Ｂ）に示すように、Ｐ１＜Ｐ２であり、傾斜面２１２Ｂの両側の側面の高さＱ１、Ｑ２は、図６（Ｃ）に示すように、Ｑ１＞Ｑ２であるようにしてもよい。この場合、傾斜面２１０Ｂ、２１２Ｂの表面の傾斜はスタンピングにより形成される。ある態様では、Ｐ１＝Ｑ２、Ｐ２＝Ｑ１であるが、他の態様では、Ｐ１≠Ｑ２、Ｐ２≠Ｑ１であってもよい。さらに他の態様では、傾斜面２１０Ｂ、２１２Ｂが形成される側面の高さが、Ｐ１＝Ｐ２、Ｑ１＝Ｑ２であってもよく、この場合、傾斜面２１０Ｂ、２１２Ｂの表面の傾斜は、接点部２０８Ｂに捻りを加えることで形成される。
【００４１】
図１０は、本実施例の雌型コンタクトの接点部の他の変形例を示す断面図である。図１０（Ａ）に示すように、傾斜面２１０Ｂ、２１２Ｂは、両側面に一定の平坦な面２４０、２４２を備えるものであってもよい。この場合、平坦な面２４０と２４２間には段差を緩和する傾斜面または曲面が形成される。さらに図１０（Ｂ）に示すように、傾斜面２１０Ｂ、２１２Ｂの表面の傾斜は、直線状のスロープに限らず、曲線状の傾斜であってもよい。
【００４２】
以上、本発明の好ましい実施の形態について詳述したが、本発明は、特定の実施形態に限定されるものではなく、特許請求の範囲に記載された本発明の要旨の範囲内において、種々の変形・変更が可能である。
【符号の説明】
【００４３】
１０：雄型コネクター
１４：雄型ボディ
１８：挿入部
２０：雌型コネクター
２４：雌型ボディ
２８：開口部
２８Ａ：ストッパー
３０：コンタクト取付け部
３２Ａ、３２Ｂ：開口
３４：隔壁
３６、３８：溝
４０：コンタクト取付け部
４２Ａ、４２Ｂ：開口
４４：隔壁
４６、４８：溝
１００Ａ、１００Ｂ：雄型コンタクト
１０２Ａ、１０２Ｂ：基部
１０４Ａ、１０４Ｂ：延在部
１０６Ａ、１０６Ｂ：折曲部
１０８Ａ、１０８Ｂ：接点部
１０９Ａ、１０９Ｂ：突起部
２００Ａ、２００Ｂ：雄型コンタクト
２０２Ａ、２０２Ｂ：基部
２０４Ａ、２０４Ｂ：延在部
２０６Ａ、２０６Ｂ：折曲部
２０８Ａ、２０８Ｂ：接点部
２１０Ｂ、２１２Ｂ：傾斜面
２１４Ｂ：平坦な面
２３０、２３２：緩和面
２４０、２４２：平坦な面
【図１】
2015088401.tif 000003
【図２】
2015088401.tif 000004
【図３】
2015088401.tif 000005
【図４】
2015088401.tif 000006
【図５】
2015088401.tif 000007
【図６】
2015088401.tif 000008
【図７】
2015088401.tif 000009
【図８】
2015088401.tif 000010
【図９】
2015088401.tif 000011
【図１０】
2015088401.tif 000012